(57)【要約】【課題】  バッテリパックの回路基板の温度上昇を低減する。【解決手段】  バッテリパックは、複数のバッテリセルと、複数のリード板と、回路基板とを備える。各々のバッテリセルは、第１面に対向する第１端と、第２面に対向する第２端とを有する。複数のリード板は、第１面に沿って配列された複数の第１リード板と、第２面に沿って配列された複数の第２リード板とを有する。各々の第１リード板は、第１面に沿って位置する第１メイン部分と、回路基板に接続された第１ターミナル部分とを有し、回路基板は、第１側縁から第２側縁まで、第１面及び第２面と交差して延びている。各々の第１リード板はさらに、第１メイン部分と第１ターミナル部分との間に、第１面と角度を成す方向に延びる第１延伸部分を有している。そして、第１ターミナル部分は、回路基板において、第１側縁と第１面との間に位置している。【選択図】図４
2020087873.tif 000002
【特許請求の範囲】
【請求項１】
互いに平行に支持された複数のバッテリセルと、
前記複数のバッテリセルを電気的に接続する複数のリード板と、
前記複数のバッテリセルに隣接して配置され、前記複数のリード板の各々が接続された回路基板と、
を備え、
前記複数のバッテリセルの各々は、第１面に対向する第１端と、前記第１面に平行な第２面に対向する第２端とを有し、
前記複数のリード板は、前記第１面に沿って配列された複数の第１リード板と、前記第２面に沿って配列された複数の第２リード板とを有し、
前記複数の第１リード板の各々は、前記第１面に沿って位置する第１メイン部分と、前記回路基板に接続された第１ターミナル部分とを有し、前記第１メイン部分において前記複数のバッテリセルの少なくとも一つの前記第１端に接続されており、
前記複数の第２リード板の各々は、前記第２面に沿って位置する第２メイン部分と、前記回路基板に接続された第２ターミナル部分とを有し、前記第２メイン部分において前記複数のバッテリセルの少なくとも一つの前記第２端に接続されており、
前記回路基板は、第１側縁からその反対側に位置する第２側縁まで、前記第１面及び前記第２面と交差して延びており、
前記複数の第１リード板の各々はさらに、前記第１メイン部分と前記第１ターミナル部分との間に、前記第１面と角度を成す方向に延びる第１延伸部分を有し、
前記第１ターミナル部分は、前記回路基板において、前記第１側縁と前記第１面との間に位置する、
バッテリパック。
【請求項２】
前記第１延伸部分は、前記回路基板に沿って延びている、請求項１に記載のバッテリパック。
【請求項３】
前記第１延伸部分と前記回路基板との間には、絶縁性を有する断熱部材が設けられている、請求項２に記載のバッテリパック。
【請求項４】
前記第１延伸部分は、前記第１メイン部分に対して９０±１０度の角度を成す、請求項３に記載のバッテリパック。
【請求項５】
前記回路基板の前記第１側縁には、複数の切欠きが設けられており、
前記複数の切欠きの各々は、隣接する二つの前記第１ターミナル部分の間へ延びている、請求項１から４のいずれか一項に記載のバッテリパック。
【請求項６】
前記複数の第２リード板の各々はさらに、前記第２メイン部分と前記第２ターミナル部分との間に、前記第２面から離れて延びる第２延伸部分を有し、
前記第２ターミナル部分は、前記回路基板において、前記第２側縁と前記第２面との間に位置する、請求項１から５のいずれか一項に記載のバッテリパック。
【請求項７】
前記第２延伸部分は、前記回路基板に沿って延びている、請求項６に記載のバッテリパック。
【請求項８】
前記第２延伸部分と前記回路基板との間には、絶縁性を有する断熱部材が設けられている、請求項７に記載のバッテリパック。
【請求項９】
前記第２メイン部分と前記第２延伸部分は、９０±１０度の角度を成す、請求項６又は７に記載のバッテリパック。
【請求項１０】
前記回路基板の前記第２側縁には、複数の切欠きが設けられており、
前記複数の切欠きの各々は、隣接する二つの前記第２ターミナル部分の間へ延びている、請求項１から９のいずれか一項に記載のバッテリパック。
【請求項１１】
前記回路基板は、前記複数のリード板の各々の電圧を検出するように構成されている、請求項１から１０のいずれか一項に記載のバッテリパック。
【請求項１２】
前記回路基板には、前記複数のバッテリセルの放電電力を出力する一対の電力端子が設けられている、請求項１から１１のいずれか一項に記載のバッテリパック。
【請求項１３】
前記複数のバッテリセル、前記複数のリード板及び前記回路基板を互いに固定するバッテリホルダをさらに備える、請求項１から１２のいずれか一項に記載のバッテリパック。
【請求項１４】
前記バッテリホルダを収容するハウジングをさらに備える、請求項１３に記載のバッテリパック。
【発明の詳細な説明】
【技術分野】
【０００１】
本発明は、電動工具といった電気機器に用いられるバッテリパックに関する。
【背景技術】
【０００２】
特許文献１に、バッテリパックが開示されている。このバッテリパックは、互いに平行に支持された複数のバッテリセルと、複数のバッテリセルを電気的に接続する複数のリード板と、複数のバッテリセルに隣接して配置され、複数のリード板の各々が接続された回路基板とを備える。
【先行技術文献】
【特許文献】
【０００３】
【特許文献１】特開２００５−０５６７２１号公報
【発明の概要】
【発明が解決しようとする課題】
【０００４】
上記したバッテリパックでは、複数のバッテリセルに隣接して、回路基板が配置されている。そのことから、充電や放電に伴ってバッテリセルが発熱したときに、回路基板の温度も高温となりやすい。特に、回路基板には複数のリード板が接続されており、各々のリード板は、少なくとも一つのバッテリセルに接続されている。これにより、バッテリセルの熱が、リード板を介して回路基板に伝達され、回路基板の温度をさらに上昇させてしまう。本明細書は、リード板による熱伝達を抑制して、回路基板の温度上昇を低減し得る技術を提供する。
【課題を解決するための手段】
【０００５】
本明細書が開示するバッテリパックは、互いに平行に支持された複数のバッテリセルと、複数のバッテリセルを電気的に接続する複数のリード板と、複数のバッテリセルに隣接して配置され、複数のリード板の各々が接続された回路基板とを備える。複数のバッテリセルの各々は、第１面に対向する第１端と、前記第１面に平行な第２面に対向する第２端とを有する。複数のリード板は、第１面に沿って配列された複数の第１リード板と、第２面に沿って配列された複数の第２リード板とを有する。複数の第１リード板の各々は、第１面に沿って位置する第１メイン部分と、回路基板に接続された第１ターミナル部分とを有し、第１メイン部分において複数のバッテリセルの少なくとも一つの第１端に接続されている。複数の第２リード板の各々は、第２面に沿って位置する第２メイン部分と、回路基板に接続された第２ターミナル部分とを有し、第２メイン部分において複数のバッテリセルの少なくとも一つの第２端に接続されている。回路基板は、第１側縁からその反対側に位置する第２側縁まで、第１面及び第２面と交差して延びている。複数の第１リード板の各々はさらに、第１メイン部分と第１ターミナル部分との間に、第１面と角度を成す方向に延びる第１延伸部分を有している。そして、第１ターミナル部分は、回路基板において、第１側縁と第１面との間に位置している。
【０００６】
上記したバッテリパックでは、複数の第１リード板の各々に、第１延伸部分が設けられている。第１延伸部分は、第１メイン部分と第１ターミナル部分との間に位置するとともに、第１面と角度を成す方向に延びている。第１延伸部分が設けられていることで、第１メイン部分と第１ターミナル部分との間の距離は大きくなる。ここで、第１メイン部分は、バッテリセルに接続された部分であり、第１ターミナル部分は、回路基板に接続された部分である。そのことから、第１メイン部分と第１ターミナル部分との間に第１延伸部分を設け、それらの間の距離を大きくすることで、バッテリセルから第１リード板を介して回路基板に至る熱伝達を抑制することができる。加えて、第１ターミナル部分は、回路基板において、第１面と第２面との間ではなく、第１側縁と第１面との間に位置している。即ち、第１ターミナル部分は、複数のバッテリセルに対向する回路基板の中央部分ではなく、その外側に位置する回路基板の縁部に接続されている。このような構成によると、第１リード板を介して回路基板に伝達された熱が、回路基板の縁部において放熱されやすく、回路基板の温度上昇を抑制することができる。
【図面の簡単な説明】
【０００７】
【図１】実施例のバッテリパック１０の外観を示す斜視図。
【図２】バッテリパック１０の分解図。
【図３】バッテリホルダ１４の分解図。
【図４】複数のバッテリセル１２、複数のリード板２０、２２及び回路基板１６の位置関係を示す正面図。図４から図８において、バッテリホルダ１４の図示は省略されている。
【図５】複数のバッテリセル１２、複数のリード板２０、２２及び回路基板１６の位置関係を示す左側面図。
【図６】複数のバッテリセル１２、複数のリード板２０、２２及び回路基板１６の位置関係を示す右側面図。
【図７】複数のバッテリセル１２、複数のリード板２０、２２及び回路基板１６の位置関係を示す平面図。
【図８】第１リード板２０の第１延伸部分２０ｃを示す図。
【図９】第１延伸部分２０ｃと回路基板１６との間に介在するバッテリホルダ１４の一部１４ａ（断熱部材）を示す断面図。
【発明を実施するための形態】
【０００８】
本技術の一実施形態において、第１延伸部分は、回路基板に沿って（例えば、回路基板と平行に）延びていてもよい。このような構成によると、複数のバッテリセルと回路基板との間の距離を維持しながら、第１延伸部分を設けることができる。
【０００９】
上記した実施形態において、第１延伸部分と回路基板との間には、絶縁性を有する断熱部材が設けられていてもよい。このような構成によると、第１延伸部分から回路基板への伝熱を抑制するとともに、第１延伸部分と回路基板との間の絶縁性を高めることもできる。
【００１０】
加えて、第１延伸部分は、第１メイン部分に対して略直角（９０±１０度）の角度を成してもよい。但し、他の実施形態として、第１延伸部分と第１メイン部分とが成す角度は、略直角でなくてもよい。
【００１１】
本技術の一実施形態において、回路基板の第１側縁には、複数の切欠きが設けられていてもよい。この場合、複数の切欠きの各々は、隣接する二つの第１ターミナル部分の間へ延びていてもよい。このような構成によると、回路基板上における第１ターミナル部分間の絶縁性を高めることができる。また、回路基板の端部における放熱性が高まることもある。
【００１２】
特に限定されないが、上述した第１リード板の構成は、第２リード板にも採用することができる。即ち、本技術の一実施例では、複数の第２リード板の各々がさらに、第２メイン部分と第２ターミナル部分との間に、第２面から離れて延びる第２延伸部分を有してもよい。そして、第２ターミナル部分は、回路基板において、第２側縁と第２面との間に位置してもよい。このような構成によると、バッテリセルから第２リード板を介して回路基板に至る熱伝達を抑制して、回路基板の温度上昇を低減することができる。
【００１３】
上記した実施形態において、第２延伸部分は、回路基板に沿って（例えば、回路基板と平行に）延びていてもよい。このような構成によると、第２延伸部分から回路基板への伝熱を抑制するとともに、第２延伸部分と回路基板との間の絶縁性を高めることもできる。
【００１４】
上記した実施形態において、第２延伸部分と回路基板との間には、絶縁性を有する断熱部材が設けられていてもよい。このような構成によると、第２延伸部分から回路基板への伝熱を抑制するとともに、第２延伸部分と回路基板との間の絶縁性を高めることもできる。
【００１５】
加えて、第２延伸部分は、第２メイン部分に対して略直角（９０±１０度）の角度を成してもよい。但し、他の実施形態として、第１延伸部分と第１メイン部分とが成す角度は、略直角でなくてもよい。
【００１６】
本技術の一実施形態において、回路基板の第２側縁には、複数の切欠きが設けられていてもよい。この場合、複数の切欠きの各々は、隣接する二つの第２ターミナル部分の間へ延びていてもよい。このような構成によると、回路基板上における第２ターミナル部分間の絶縁性を高めることができる。また、回路基板の端部における放熱性が高まることもある。
【００１７】
本技術の一実施形態において、回路基板は、複数のリード板の各々の電圧を検出するように構成されてもよい。このような構成によると、回路基板によって検出された電圧のデータを、例えばバッテリパックの充放電に係る制御に用いることができる。
【００１８】
本技術の一実施形態において、回路基板には、複数のバッテリセルの放電電力を出力する一対の電力端子が設けられていてもよい。即ち、バッテリパックは、複数のバッテリセルの放電電力が、回路基板を通じて外部へ出力されるように構成されていてもよい。
【実施例】
【００１９】
（実施例）図面を参照して、実施例のバッテリパック１０について説明する。本実施例のバッテリパック１０は、再充電可能な蓄電装置であり、電動工具といった電気機器（図示省略）に電力を供給する電源として、電気機器に着脱可能に取り付けられる。図１、図２に示すように、バッテリパック１０は、複数のバッテリセル１２、複数のバッテリセル１２を保持するバッテリホルダ１４、及び、バッテリホルダ１４に固定されているととともに、複数のバッテリセル１２と電気的に接続された回路基板１６を備える。また、バッテリパック１０は、複数のバッテリセル１２、バッテリホルダ１４及び回路基板１６を収容しているハウジング１８を備える。
【００２０】
複数のバッテリセル１２は、バッテリホルダ１４によって、互いに平行に保持されている。各々のバッテリセル１２は、再充電可能なバッテリセルである。一例ではあるが、本実施例における各々のバッテリセル１２は、リチウムイオンバッテリセルであり、略４ボルトの公称電圧を有する。また、複数のバッテリセル１２の合計数は３２本であり、互いに並列に接続された２本のバッテリセル１２を一組として、１６組のバッテリセル１２が直列に接続されている。これにより、バッテリパック１０は、略６４ボルトの公称電圧を有している。
【００２１】
バッテリホルダ１４は、絶縁材料（例えば、樹脂材料）で構成されている。詳しくは後述するが、バッテリホルダ１４には、複数の第１リード板２０及び複数の第２リード板２２が組み込まれている。複数の第１リード板２０は、バッテリホルダ１４の一方の側壁に配置されており、複数の第２リード板２２は、バッテリホルダ１４の他方の側壁に配置されている。複数のバッテリセル１２は、複数の第１リード板２０及び複数の第２リード板２２を介して、互いに電気的に接続されている。また、各々の第１リード板２０及び各々の第２リード板２２は、回路基板１６に電気的に接続されている。
【００２２】
回路基板１６は、複数の第１リード板２０及び複数の第２リード板２２を介して、複数のバッテリセル１２に電気的に接続されている。回路基板１６は、各々の第１リード板２０及び各々の第２リード板２２の電圧を検出可能であり、それによって、各々のバッテリセル１２の電圧を把握することができる。加えて、回路基板１６には、電気機器と接続するための複数の外部接続端子２４が設けられている。複数の外部接続端子２４には、一対の電力端子と、いくつかの通信端子とが含まれている。一対の電力端子は、複数のバッテリセル１２と電気的に接続されており、複数のバッテリセル１２からの放電電力を電気機器へ出力する。また、一対の電力端子は、充電器（図示省略）と電気的に接続し、充電器から複数のバッテリセル１２への充電電力を受け入れる。通信端子は、回路基板１６に設けられたプロセッサ（図示省略）に接続されている。
【００２３】
ハウジング１８は、略直方体の外形を有しており、樹脂材料で構成されている。ハウジング１８の上面には、電気機器と係合するための係合構造１８ａや、電気機器の接続端子を受け入れる複数の開口部１８ｂ（例えばスリット）が形成されている。複数の開口部１８ｂの内部には、回路基板１６上の複数の外部接続端子２４がそれぞれ配置されている。なお、ここで説明するハウジング１８の構成は一例であり、ハウジング１８の具体的な構成については適宜変更することができる。
【００２４】
次に、図３を参照して、バッテリホルダ１４の構造について説明する。バッテリホルダ１４は、第１ホルダ本体２６と第２ホルダ本体２８とを備える。第１ホルダ本体２６と第２ホルダ本体２８は、複数のバッテリセル１２を挟んで互いに固定されており、複数のバッテリセル１２を平行に保持している。バッテリホルダ１４はさらに、第１ホルダカバー３０と第２ホルダカバー３２とを備える。第１ホルダカバー３０は、複数の第１リード板２０を挟んで、第１ホルダ本体２６に取り付けられており、複数の第１リード板２０を第１ホルダ本体２６に対して（即ち、複数のバッテリセル１２に対して）固定している。第２ホルダカバー３２は、複数の第２リード板２２を挟んで、第２ホルダ本体２８に取り付けられており、複数の第２リード板２２を第２ホルダ本体２８に対して（即ち、複数のバッテリセル１２に対して）固定している。
【００２５】
第１ホルダカバー３０と複数の第１リード板２０との間には、第１外側防水シート３４が設けられており、複数の第１リード板２０と第１ホルダ本体２６との間には、第１内側防水シート３６が設けられている。第１外側防水シート３４及び第１内側防水シート３６は、シリコーンゴムで構成されており、水分や微細な異物の侵入を禁止する。なお、複数の第１リード板２０は、ラミネート加工により、一対のフィルム間で一体的に保持されている。同様に、第２ホルダカバー３２と複数の第２リード板２２との間には、第２外側防水シート３８が設けられており、複数の第２リード板２２と第２ホルダ本体２８との間には、第２内側防水シート４０が設けられている。第２外側防水シート３８及び第２内側防水シート４０もまた、シリコーンゴムで構成されており、水分や微細な異物の侵入を禁止する。複数の第２リード板２２についても、ラミネート加工により、一対のフィルム間で一体的に保持されている。なお、各々の防水シート３４、３６、３８、４０は、シリコーンゴムに限定されず、例えばエラストマーといった他の高分子材料のように、その他の遮水性を有する柔軟な材料で構成されてもよい。
【００２６】
次に、複数の第１リード板２０及び複数の第２リード板２２について詳細に説明する。なお、図４−図６では、バッテリホルダ１４の図示が省略されている。図４−図６に示すように、複数の第１リード板２０は、第１面Ｐ１に沿って配列されており、複数の第２リード板２２は、第２面Ｐ２に沿って配列されている。そして、複数のバッテリセル１２の各々は、第１面Ｐ１に対向する第１端１２ａと、第１面Ｐ１に平行な第２面Ｐ２に対向する第２端１２ｂとを有する。なお、複数のバッテリセル１２の向きは同一ではない。即ち、一部のバッテリセル１２は、第１端１２ａに正極を有するとともに第２端１２ｂに負極を有し、他のバッテリセル１２は、第１端１２ａに負極を有するとともに、第２端１２ｂに正極を有する。
【００２７】
各々の第１リード板２０は、第１面Ｐ１に沿って位置する第１メイン部分２０ａと、回路基板１６に接続された第１ターミナル部分２０ｂとを有する。第１メイン部分２０ａは、複数のバッテリセル１２の少なくとも一つの第１端１２ａ（即ち、正極又は負極）に接続されている。特に限定されないが、本実施例では、第１メイン部分２０ａが、少なくとも一つのバッテリセル１２の第１端１２ａにスポット溶接（抵抗溶接）によって接合されている。一方、第１ターミナル部分２０ｂは、回路基板１６にはんだ付けによって接合されている。
【００２８】
同様に、各々の第２リード板２２は、第２面Ｐ２に沿って位置する第２メイン部分２２ａと、回路基板１６に接続された第２ターミナル部分２２ｂとを有する。第２メイン部分２２ａは、複数のバッテリセル１２の少なくとも一つの第２端１２ｂ（即ち、正極又は負極）に接続されている。特に限定されないが、本実施例では、第２メイン部分２２ａが、少なくとも一つのバッテリセル１２の第２端１２ｂにスポット溶接（抵抗溶接）によって接合されている。一方、第２ターミナル部分２２ｂは、回路基板１６にはんだ付けによって接合されている。
【００２９】
図４、図７に示すように、回路基板１６は、第１側縁１６ａからその反対側に位置する第２側縁１６ｂまで、第１面Ｐ１及び第２面Ｐ２と交差して延びている。即ち、本実施例における回路基板１６は比較的に大型であり、第１側縁１６ａから第２側縁１６ｂまでの幅が、バッテリセル１２の長さよりも大きい。そのことから、図４、図８に示すように、各々の第１リード板２０はさらに、第１メイン部分２０ａと第１ターミナル部分２０ｂとの間に、第１延伸部分２０ｃを有する。第１延伸部分２０ｃは、第１面Ｐ１と角度を成す方向に延びており、第１メイン部分２０ａと第１ターミナル部分２０ｂとの間の距離を大きくする。第１延伸部分２０ｃは、第１メイン部分２０ａから見て、回路基板１６の第１側縁１６ａに向けて延びている。これにより、図４、図７に示すように、第１リード板２０の第１ターミナル部分２０ｂは、第１側縁１６ａに近接しており、第１側縁１６ａと第１面Ｐ１との間に位置している。
【００３０】
上記したバッテリパック１０では、複数のバッテリセル１２に隣接して、回路基板１６が配置されている。そのことから、充電や放電に伴ってバッテリセル１２が発熱したときに、回路基板１６の温度も高温となりやすい。特に、回路基板１６には複数のリード板２０、２２が接続されており、各々のリード板２０、２２は、少なくとも一つのバッテリセル１２に接続されている。従って、バッテリセル１２の熱が、リード板２０、２２を介して回路基板１６に伝達されやすく、回路基板１６の温度をさらに上昇させるおそれがある。
【００３１】
上記の点に関して、本実施例のバッテリパック１０では、複数の第１リード板２０の各々に、第１延伸部分２０ｃが設けられている。第１延伸部分２０ｃは、第１メイン部分２０ａと第１ターミナル部分２０ｂとの間に位置するとともに、第１面Ｐ１と角度を成す方向に延びている。第１延伸部分２０ｃが設けられていることで、バッテリセル１２に接続された第１メイン部分２０ａと、回路基板１６に接続された第１ターミナル部分２０ｂとの間の距離は大きくなる。これにより、バッテリセル１２から第１リード板２０を介して回路基板１６に至る熱伝達を抑制することができる。
【００３２】
加えて、第１ターミナル部分２０ｂは、回路基板１６において、第１面Ｐ１と第２面Ｐ２との間ではなく、第１側縁１６ａと第１面Ｐ１との間に位置している。即ち、第１ターミナル部分２０ｂは、複数のバッテリセル１２に対向する回路基板１６の中央部分ではなく、その外側に位置する回路基板１６の縁部に接続されている。このような構成によると、第１リード板２０を介して回路基板１６に伝達された熱が、回路基板１６の縁部において放熱されやすく、回路基板１６の温度上昇をさらに抑制することができる。加えて、複数の第１ターミナル部分２０ｂが、回路基板１６の第１側縁１６ａに近接して配置されることで、回路基板１６の有効面積を大きくすることができる。
【００３３】
一例ではあるが、本実施例における第１延伸部分２０ｃは、回路基板１６に沿って（例えば、回路基板１６と平行に）延びている。ここで、回路基板１６は、第１面Ｐ１及び第２面Ｐ２に対して略垂直（９０±１０度）である。従って、第１延伸部分２０ｃは、第１メイン部分２０ａに対して略直角（９０±１０度）の角度を成している。但し、第１延伸部分２０ｃは、回路基板１６から離れた位置に設けられてもよい。第１延伸部分２０ｃは、第１メイン部分２０ａと第１ターミナル部分２０ｂとの間の距離を大きくする限りにおいて、その具体的な位置や形状は特に限定されない。この場合、第１延伸部分２０ｃは、回路基板１６と平行でなくてもよく、例えば４５度や６０度といった角度を成してもよい。
【００３４】
図９に示すように、本実施例のバッテリパック１０では、第１リード板２０の第１延伸部分２０ｃと回路基板１６との間に、バッテリホルダ１４の一部１４ａが介在している。このバッテリホルダ１４の一部１４ａは、第１延伸部分２０ｃから回路基板１６への伝熱を抑制する断熱部材として機能する。なお、他の実施形態として、第１延伸部分２０ｃと回路基板１６との間には、バッテリホルダ１４とは独立した断熱部材が設けられてもよい。その断熱部材は、バッテリホルダ１４と同様に、絶縁材料で構成することができる。
【００３５】
図７に示すように、本実施例のバッテリパック１０では、回路基板１６の第１側縁１６ａに、複数の第１切欠き４２が設けられている。各々の第１切欠き４２は、隣接する二つの第１ターミナル部分２０ｂの間へ延びている。このような構成によると、回路基板１６上における第１ターミナル部分２０ｂ間の絶縁性を高めることができる。また、第１ターミナル部分２０ｂから回路基板１６の中央部分への伝熱が抑制され、回路基板１６の端部における放熱性を高めることもできる。
【００３６】
本実施例のバッテリパック１０では、上述した第１リード板２０の構成が、第２リード板２２にも採用されている。即ち、各々の第２リード板２２にも、第２延伸部分２２ｃが設けられている。第２延伸部分２２ｃは、第２メイン部分２２ａと第２ターミナル部分２２ｂとの間に位置するとともに、第２面Ｐ２と角度を成す方向に延びている。そして、第２ターミナル部分２２ｂは、回路基板１６において、第１面Ｐ１と第２面Ｐ２との間ではなく、第２側縁１６ｂと第２面Ｐ２との間に位置している。第１リード板２０と同様に、第２リード板２２に第２延伸部分２２ｃが設けられていることで、回路基板１６の温度上昇を効果的に抑制することができる。また、回路基板１６の有効面積を大きくすることができる。
【００３７】
一例ではあるが、第２リード板２２の第２延伸部分２２ｃは、回路基板１６に沿って（例えば、回路基板１６と平行に）延びている。このような構成によると、第２延伸部分２２ｃから回路基板１６への伝熱が抑制されるとともに、第２延伸部分２２ｃと回路基板１６との間の絶縁性を高めることもできる。なお、第２延伸部分２２ｃは、第２メイン部分２２ａに対して略直角（９０±１０度）の角度を成している。但し、第２延伸部分２２ｃについても、回路基板１６から離れた位置に設けられてもよく、回路基板１６に対して例えば４５度や６０度といった角度を成してもよい。また、第２延伸部分２２ｃと回路基板１６との間には、バッテリホルダ１４の一部が介在しており、それが断熱部材として機能する。
【００３８】
本実施例のバッテリパック１０では、回路基板１６の第２側縁１６ｂにも、複数の第２切欠き４４が設けられている。各々の第２切欠き４４は、隣接する二つの第２ターミナル部分２２ｂの間へ延びている。このような構成によると、回路基板１６上における第２ターミナル部分２２ｂ間の絶縁性を高めることができる。また、第２ターミナル部分２２ｂから回路基板１６の中央部分への伝熱が抑制され、回路基板１６の端部における放熱性を高めることもできる。
【００３９】
本実施例のバッテリパック１０では、複数のバッテリセル１２、複数のリード板２０、２２及び回路基板１６が、バッテリホルダ１４によって互いに固定されている。しかしながら、他の実施形態として、バッテリパック１０はバッテリホルダ１４を備えなくてもよい。複数のバッテリセル１２、複数のリード板２０、２２及び回路基板１６は、ハウジング１８又はその他の一又は複数の部材によって、互いに固定されてもよい
【００４０】
以上、いくつかの具体例を詳細に説明したが、これらは例示に過ぎず、特許請求の範囲を限定するものではない。特許請求の範囲に記載の技術には、以上に例示した具体例を様々に変形、変更したものが含まれる。本明細書又は図面に説明した技術要素は、単独であるいは各種の組合せによって技術的有用性を発揮するものである。
【符号の説明】
【００４１】
１０：バッテリパック
１２：バッテリセル
１４：バッテリホルダ
１６：回路基板
１８：ハウジング
２０：第１リード板
２２：第２リード板
２４：外部接続端子
２６：第１ホルダ本体
２８：第２ホルダ本体
３０：第１ホルダカバー
３２：第２ホルダカバー
３４：第１外側防水シート
３６：第１内側防水シート
３８：第２外側防水シート
４０：第２内側防水シート
４２：第１切欠き
４４：第２切欠き
【図１】
2020087873.tif 000003
【図２】
2020087873.tif 000004
【図３】
2020087873.tif 000005
【図４】
2020087873.tif 000006
【図５】
2020087873.tif 000007
【図６】
2020087873.tif 000008
【図７】
2020087873.tif 000009
【図８】
2020087873.tif 000010
【図９】
2020087873.tif 000011